(57)【特許請求の範囲】
【請求項１】
容器本体と、該容器本体の上面を覆う蓋体と、該蓋体の一側部下面に縦設されたピンと、上記容器本体の一側部に形成され、該ピンを挿通するピン孔と、該ピン孔の下部に形成された拡径部と、該拡径部内に、突出する該ピンの外周部に嵌合される弾性リングと、該ピン先端部外周に、該弾性リングを圧縮しつつ嵌着されるリング押さえピースとからなり、該弾性リングの弾性力によって該蓋体を常時該容器本体側に付勢し、該ピンを中心とした該蓋体の旋回操作によって該容器本体を開閉する化粧料容器であって、該蓋体の旋回操作によって、上記弾性リングの弾性力に抗して該蓋体を該容器本体から浮き上がらせつつ開放するために、該容器本体及び該蓋体のいずれか一方には、該ピン孔の周方向に沿って上昇するスロープ部が形成され、該容器本体及び該蓋体の他方には、旋回操作の過程で該スロープ部を摺動しながら上昇するスライド部が形成されることを特徴とする化粧料容器。
【請求項２】
前記スロープ部は、前記ピンを中心に左方向または右方向に旋回操作される前記蓋体の前記スライド部が摺動する左側スロープ部と右側スロープ部とから構成されることを特徴とする請求項１に記載の化粧料容器。
【発明の詳細な説明】
【技術分野】
【０００１】
本発明は、蓋体の旋回操作によって容器本体を開閉できる化粧料容器に関する。
【背景技術】
【０００２】
従来、この種の化粧料容器は、容器本体および蓋体の一側部に縦方向に貫通配置されたピンを中心とする旋回操作により、容器本体に対して蓋体をすりあわせた状態で開閉される。特に、ピン孔下部に拡径部を形成し、拡径部に突出するピンの外周部に弾性リングを嵌合するとともに、ピン端部外周にリング押さえピースを嵌着して弾性リングを圧縮し、弾性リングに蓋体を常時容器本体側に密着させる方向の弾性力を付与することで、蓋体を閉じた時には、容器本体を気密に密閉して化粧料の飛散やその劣化を防ぐとともに、開蓋時には、フリーストップ性が得られるようにし、またひねりなどの蓋体の開閉とは別の外力が加わった場合のクッション性が得られるようにした例として、特許文献１が知られている。
【特許文献１】特開２００３−１１６６２７号公報
【発明の開示】
【発明が解決しようとする課題】
【０００３】
上記従来の化粧料容器にあっては、弾性リングの上記弾性力によって、容器本体に蓋体を密着させる力が常時かかっており、蓋体の旋回操作時には、容器本体と蓋体は互いに密着しながら擦れ合うこととなっていた。このため、蓋体の旋回操作によって、蓋体と接触する容器本体の周縁に傷がついたり、また、化粧料が蓋体を介して容器本体の周縁に跡を残したりするなどの不都合が起こりうる可能性があった。
【０００４】
本発明は上記従来の課題に鑑みて創案されたものであって、旋回操作により蓋体の開閉を行う化粧料容器において、容器本体に蓋体が擦れ合うことによる容器本体への傷の発生、および容器本体周縁への化粧料の付着を防止できる化粧料容器を提供することを目的とする。
【課題を解決するための手段】
【０００５】
本発明にかかる化粧料容器は、容器本体と、該容器本体の上面を覆う蓋体と、該蓋体の一側部下面に縦設されたピンと、上記容器本体の一側部に形成され、該ピンを挿通するピン孔と、該ピン孔の下部に形成された拡径部と、該拡径部内に、突出する該ピンの外周部に嵌合される弾性リングと、該ピン先端部外周に、該弾性リングを圧縮しつつ嵌着されるリング押さえピースとからなり、該弾性リングの弾性力によって該蓋体を常時該容器本体側に付勢し、該ピンを中心とした該蓋体の旋回操作によって該容器本体を開閉する化粧料容器であって、該蓋体の旋回操作によって、上記弾性リングの弾性力に抗して該蓋体を該容器本体から浮き上がらせつつ開放するために、該容器本体及び該蓋体のいずれか一方には、該ピン孔の周方向に沿って上昇するスロープ部が形成され、該容器本体及び該蓋体の他方には、旋回操作の過程で該スロープ部を摺動しながら上昇するスライド部が形成されることを特徴とする。また、前記スロープ部は、前記ピンを中心に左方向または右方向に旋回操作される前記蓋体の前記スライド部が摺動する左側スロープ部と右側スロープ部とから構成されることを特徴とする。
【発明の効果】
【０００６】
本発明にかかる化粧料容器にあっては、旋回操作により蓋体の開閉を行う化粧料容器において、容器本体に蓋体が擦れ合うことによる容器本体の傷の発生、および容器本体周縁への化粧料の付着を防止できる。
【発明を実施するための最良の形態】
【０００７】
以下に、本発明にかかる化粧料容器の好適な一実施形態を、添付図面を参照して詳細に説明する。本実施形態にかかる化粧料容器１は基本的には、図１〜図７に示すように、容器本体２と、容器本体２の上面を覆う蓋体３と、蓋体３の一側部下面に縦設されたピン４と、容器本体２の一側部に形成され、ピン４を挿通するピン孔５と、ピン孔５の下部に形成された拡径部６と、拡径部６内に、突出するピン４の外周部に嵌合される弾性リング７と、ピン４先端部外周に、弾性リング７を圧縮しつつ嵌着されるリング押さえピース８とからなり、弾性リング７の弾性力によって蓋体３を常時容器本体２側に付勢し、ピン４を中心とした蓋体３の旋回操作によって容器本体２を開閉する化粧料容器１であって、蓋体３の旋回操作によって、弾性リング７の弾性力に抗して蓋体３を容器本体２から浮き上がらせつつ開放するために、容器本体２及び蓋体３のいずれか一方には、ピン孔５の周方向に沿って上昇するスロープ部９が形成され、容器本体２及び蓋体３の他方には、旋回操作の過程でスロープ部９を摺動しながら上昇するスライド部１０が形成される。
【０００８】
容器本体２は、合成樹脂射出成形体からなる扁平かつ略円形状の容器であって、手のひらに乗る程度の小型の形状に形成される。容器本体２の形状はこれに限られず、例えば矩形状に形成されてもよい。また、大きさも小型の物には限られない。容器本体２の上面中央には、化粧料Ｐを収納するための化粧料収納部１３が凹設される。
【０００９】
容器本体２には、その後端部より外方へ突出させて、半円状の第１突出部１４が形成される。第１突出部１４の中央には、これを上下方向に貫通させてピン孔５が形成される。
【００１０】
容器本体２には、上面を覆うように容器本体２と同形な合成樹脂射出成形体からなる蓋体３が設けられる。図示例にあっては、蓋体３は略円形状に形成される。また蓋体３の後端部には、これより外方へ突出させて、第１突出部１４に重なり合う半円状の第２突出部１５が形成される。第２突出部１５の下面には、ピン孔５に挿通されるピン４が縦設される。
【００１１】
ピン孔５の下部には、ピン孔５の内径を拡張させて、拡径部６が形成される。拡径部６内には、ピン孔５から突出したピン４の外周に嵌合させて、ゴムなどの弾性材で形成された弾性リング７が設けられる。また、拡径部６内には、弾性リング７を拡径部６の内面に押し付けて圧縮するために、有底スリーブ状のリング押さえピース８が設けられる。リング押さえピース８は、その底部中央に突起８ａを有しており、突起８ａをピン４の先端部４ａに超音波接着などで溶着することによって、ピン４に固着される。
【００１２】
弾性リング７は、圧縮された状態で拡径部６内に配設されており、この弾性リング７の弾性力によって、蓋体３は、容器本体側２に常時付勢され、ピン４を中心とした旋回操作によって蓋体３を開放するに際しても、蓋体３は容器本体２側に付勢される。
【００１３】
蓋体３の下面３０ａには、その周縁部に沿って、容器本体２の化粧料収納部１３の内周縁に係脱自在に係合されるリブ２０が突設される。
【００１４】
容器本体２の前端には、位置決め凸部２１ａが半球状に形成され、蓋体３の前端には、これに対応させて位置決め凹部２１ｂが形成される。蓋体３の旋回操作により容器本体２を閉止すると、位置決め凸部２１ａが位置決め凹部２１ｂに係脱自在に係合され、蓋体３の閉止位置が保持される。
【００１５】
ピン４の基端部には、ピン４の周方向に沿って突起部１１が形成される。一方、容器本体２の第１突出部１４の上面には、ピン孔５の周方向に沿って、突起部１１を収納すべくこれを包囲するような形状の凹み部１２が形成される。
【００１６】
凹み部１２の底面には、容器本体２の前後方向の前半部にほぼ１８０°の範囲でスロープ部９が形成され、その後半部にほぼ１８０°の範囲で平坦部１６が形成される。スロープ部９は、ピン４を中心として、容器本体２の前後方向の前端から時計回りに９０°後方へ向かうに従って上昇し、左端で最上位置となる傾斜面からなる左側スロープ部９ａと、前端から反時計回りに９０°後方に向かうに従って上昇し、右端で最上位置となる傾斜面からなる右側スロープ部９ｂとから構成される。
【００１７】
一方、突起部１１の下面には、蓋体３の前後方向の前半部にほぼ１８０°の範囲で、蓋体３の旋回操作によってスロープ部９を摺動するスライド部１０が形成される。一方、突起部１１の後半部にはほぼ１８０°の範囲で平面部１８が形成される。スライド部１０は、スロープ９部に対応させて、ピン４を中心として、蓋体３の前後方向の前端から時計回りに９０°後方へ向かうに従って上昇し、左端で最上位置となる傾斜面を有する左側スライド部１０ａと、前端から反時計回りに９０°後方へ向かうに従って上昇し、右端で最上位置となる傾斜面を有する右側スライド部１０ｂから構成される。
【００１８】
蓋体３を、左方向または右方向に旋回操作することによって、右側または左側スライド部１０ａ、１０ｂが、左側スロープ部９ａまたは右側スロープ部９ｂをスライドしながら上昇し、弾性リング７の弾性力に抗して、蓋体３が容器本体２から浮き上がりつつ開放される。
【００１９】
蓋体３を閉じた状態では、弾性リング７の弾性力により、スロープ部９とスライド部１０及び平坦部１６と平面部１８は互いにほぼ隙間なく密着される。また、蓋体３を開放した状態では、図７に示すように、スロープ部９を昇りきったスライド部１０が平坦部１６に乗り上げ、圧縮された弾性リング７がより強く圧縮されて蓋体３が浮き上がり、スロープ部９と平面部１８との間には隙間Ｓが生じる。
【００２０】
次に、本実施形態にかかる化粧料容器１の作用について説明する。製作に際しては、容器本体２のピン孔５に蓋体３のピン４を挿入する。そして図６に示すように、拡径部６内のピン４に、下方から弾性リング７を装着する。さらに拡径部６内で、弾性リング７を圧縮しつつ、ピン４にリング押さえピース８を固着する。
【００２１】
使用に際しては、例えば容器本体２を手に持った状態で、親指などで蓋体３を閉止位置からずらして、リブ２０を化粧料収納部１３から離脱させ、さらにピン４を中心に蓋体３を旋回させて容器本体２を開放する。使用後は、開放時と同様にピン４を中心として蓋体３を旋回させて容器本体２に蓋体３を覆い被せる。位置決め凸部２１ａと位置決凹部２１ｂが係合されることによって蓋体３は閉止位置に保持される。
【００２２】
蓋体３の開閉時の旋回操作の過程では、スライド部１０がスロープ部９をスライド移動しつつ上昇するので、蓋体３は、これを容器本体２側に付勢する弾性リング７の弾性力に抗して浮き上がり、蓋体３の下面３０ａおよびリブ２０が容器本体２上面に接することなく蓋体３の開放操作が可能となる。これによって、容器本体２上面に蓋体３が擦れることによる傷つきを防止できる。また、蓋体３等に付着した化粧料によって容器本体２が汚れるのを防止でき、これらにより、化粧料容器１を、その美感を損なわずに使用できる。
【００２３】
また、スロープ部９は、容器本体２の前後方向の前端を最下位置とし、その両側に左側スロープ部９ａ、右側スロープ部９ｂが形成されているので、左右どちらの方向へ蓋体３を開放させた場合であっても蓋体３を浮き上らせつつ開放できる。
【００２４】
本実施形態では、ピン４及びピン孔５は、容器本体２及び蓋体３の後端部に突出形成された第１突出部１４及び第２突出部１５に形成されているが、このような突出部１４、１５を設けずに、容器本体２や蓋体３の外周縁部に形成してもよいことはもちろんである。
【００２５】
本実施形態では、スロープ部９は、容器本体２の凹み部１２内に形成されており、これに対応させて、スライド部１０は、蓋体３の突起部１１に形成されている。しかし、これら凹み部１２や突起部１１を設けずに、容器本体２や蓋体３に直接スロープ部９及びスライド部１０を形成してもよい。
【００２６】
また、本実施形態では、凹み部１２の前半部に左側および右側スロープ部９ａ、９ｂを形成し、後半部を平坦部１６としたが、平坦部１６を廃止して凹み部１２全体をスロープ部９ａ、９ｂとしてもよい。この場合、スロープ部９ａ、９ｂに対応させて、スライド部１０ａ、１０ｂも突起部１１全体に形成することが好ましい。
【００２７】
図８には上記実施形態の変形例が示されている。この変形例は、蓋体３のスライド部１０を改良したものである。蓋体３の突起部１１には、その全周に亘って平面部１８が形成されており、スライド部１０は、突起部１１の前端に形成された突部２２で構成される。図示例にあっては、突部２２は、ピン４の外周より突起部１１の外周に向かってリブ状に形成される。
【００２８】
突部２２は、閉蓋時には、スロープ部９の最下位置である前端に当接しており、開閉の際の旋回操作で、スロープ部９を摺動することによって、蓋体３は、弾性リング７の弾性力に抗して浮き上がる。これにより、上記実施形態と同様な作用効果を得ることができる。
【図面の簡単な説明】
【００２９】
【図１】本発明にかかる化粧料容器の好適な一実施形態を示す、蓋体を閉じた状態の斜視図である。
【図２】図１の化粧料容器の蓋体を開いた状態の斜視図である。
【図３】図１の化粧料容器の容器本体の斜視図である。
【図４】図１の化粧料容器の蓋体の斜視図である。
【図５】図１の化粧料容器の蓋を閉じた状態を示す側断面図である。
【図６】図１の化粧料容器のリング押さえピースの取付状態を示す要部拡大側断面図である。
【図７】図１の化粧料容器の開蓋時の要部拡大側断面図である。
【図８】本発明にかかる化粧料容器の変形例を示す蓋体の要部拡大斜視図である。
【符号の説明】
【００３０】
１    化粧料容器
２    容器本体
３    蓋体
４    ピン
５    ピン孔
６    拡径部
７    弾性リング
８    リング押さえピース
９    スロープ部
１０  スライド部
【図１】
0005269371.tif 000002
【図２】
0005269371.tif 000003
【図３】
0005269371.tif 000004
【図４】
0005269371.tif 000005
【図５】
0005269371.tif 000006
【図６】
0005269371.tif 000007
【図７】
0005269371.tif 000008
【図８】
0005269371.tif 000009